(57)【特許請求の範囲】
【請求項１】
表示部及び又は受話部を有する第１の筐体と、操作部及び又は送話部を有する第２の筐体とを、ヒンジ部を介して折畳み自在に連結してなる折畳み式電子機器において、
前記ヒンジ部は、前記第１の筐体と前記第２の筐体を回転可能に連結するヒンジ軸と、当該ヒンジ軸の周囲を覆うヒンジカバーとを備え、
前記第１の筐体と前記第２の筐体の一方の筐体は、該一方の筐体の一方の主面を含む第１のケースと、該一方の筐体の前記一方の主面に対向する他方の主面を含み、前記第１のケースと組み合わされて前記一方の筐体を構成する第２のケースとを備え、
前記第１のケースの一端部の前記一方の主面上には、第１の凹部が形成され、
前記第２のケースの一端部の前記他方の主面上には、前記第１のケースと組み合わされたときに前記第１の凹部と同じ位置に第２の凹部が形成され、
前記ヒンジカバーは、組み合わされた前記第１のケースと第２のケースの前記第１の凹部と前記第２の凹部とから形成された空間に収納され、
組み合わされた前記第１のケースの前記第１の凹部の底部と、前記第２のケースの前記第２の凹部の底部との間の空間を塞ぐように、前記第１の凹部の底部と前記第２の凹部の底部との間に渡されて配置され、前記一方の筐体に内蔵されている内部部品に熱的に接続されている放熱板を設け、
前記放熱板は、前記第１の凹部と前記第２の凹部の底部と、前記ヒンジカバーとの間隙に、当該放熱板の板面が前記ヒンジカバーに対向して配置され、当該放熱板が前記一方の筐体の外部に突出している、
ことを特徴とする折畳み式電子機器。
【請求項２】
前記放熱板は、金属製のシールド兼モジュールハウジングの端部に一体に形成されていることを特徴とする請求項１記載の折畳み式電子機器。
【発明の詳細な説明】
【技術分野】
【０００１】
本発明は、発熱する電子部品を備えた携帯電話機などの折畳み式電子機器に係り、特にその放熱構造に関する。
【背景技術】
【０００２】
一般に携帯電話機やパームトップＰＣなどの携帯電子機器は筐体で密閉されているため、ＩＣの発熱で発生した熱により筐体が熱くなり、機能に影響が出たり、人体に影響を及ぼしたりする可能性がある。
そのため、放熱対策が施されており、例えば特許文献１に提案される放熱構造がある。すなわち、特許文献１の放熱構造は、その図面中の符号も併記すれば、折畳み式ＰＣにおいて、発熱する回路素子７６が実装された回路基板４０と、回路基板４０に熱的に接続されたヒートシンク８５と、ヒートシンク８５に熱的に接続された熱拡散板１００を収容した筐体２に、ディスプレイユニット３の下端と対向する放熱孔１１０が形成されている。そして、放熱板１００の放熱部１０２に形成した放熱突起１０４を、筐体２の放熱孔１１０に挿入して、ディスプレイユニット３のハウジング２３の連結部２５との間に形成された隙間１１１に放熱突起１０４を露出させている。これにより、放熱突起１０４が直接外気にさらされ、放熱部１０２に伝えられた熱が筐体２の外方に放熱される。
【特許文献１】特開２００４−３０６８８号公報
【発明の開示】
【発明が解決しようとする課題】
【０００３】
しかしながら、特許文献１の放熱構造では、放熱突起１０４は放熱孔１１０に挿入されて隙間１１１に僅かに露出するだけで、筐体２の外部には突出しておらず、外気にさらされる小さな突起１０４による放熱に過ぎず、必ずしも十分な外気への放熱効果が得られるものではない。
【０００４】
本発明の課題は、互いに折畳まれる筐体のヒンジ部周りの隙間を利用しながら、外気への放熱性能を向上した折畳み式電子機器を提供することである。
【課題を解決するための手段】
【０００５】
以上の課題を解決するため、請求項１に記載の発明は、
表示部及び又は受話部を有する第１の筐体と、操作部及び又は送話部を有する第２の筐体とを、ヒンジ部を介して折畳み自在に連結してなる折畳み式電子機器において、
前記ヒンジ部は、前記第１の筐体と前記第２の筐体を回転可能に連結するヒンジ軸と、当該ヒンジ軸の周囲を覆うヒンジカバーとを備え、
前記第１の筐体と前記第２の筐体の一方の筐体は、該一方の筐体の一方の主面を含む第１のケースと、該一方の筐体の前記一方の主面に対向する他方の主面を含み、前記第１のケースと組み合わされて前記一方の筐体を構成する第２のケースとを備え、
前記第１のケースの一端部の前記一方の主面上には、第１の凹部が形成され、
前記第２のケースの一端部の前記他方の主面上には、前記第１のケースと組み合わされたときに前記第１の凹部と同じ位置に第２の凹部が形成され、
前記ヒンジカバーは、組み合わされた前記第１のケースと第２のケースの前記第１の凹部と前記第２の凹部とから形成された空間に収納され、
組み合わされた前記第１のケースの前記第１の凹部の底部と、前記第２のケースの前記第２の凹部の底部との間の空間を塞ぐように、前記第１の凹部の底部と前記第２の凹部の底部との間に渡されて配置され、前記一方の筐体に内蔵されている内部部品に熱的に接続されている放熱板を設け、
前記放熱板は、前記第１の凹部と前記第２の凹部の底部と、前記ヒンジカバーとの間隙に、当該放熱板の板面が前記ヒンジカバーに対向して配置され、当該放熱板が前記一方の筐体の外部に突出している、
ことを特徴とする。
【０００６】
請求項１に記載の発明によれば、折畳み式電子機器において、放熱板を、筐体の開口部から外部に突出させて、相手側の筐体に設けられるヒンジカバーとの隙間に配置したので、ヒンジ部周りの隙間を利用して、放熱板を外気にさらすことにより十分な外気への放熱が行える。
【０００８】
請求項１に記載の発明によれば、放熱板の板面がヒンジカバーと対向しているので、ヒンジカバーとの隙間を有効に利用して、放熱板をその板面の全面でさらして効果的に放熱できる。
【０００９】
請求項２に記載の発明は、
請求項１に記載の折畳み式電子機器であって、
前記放熱板は、金属製のシールド兼モジュールハウジングの端部に一体に形成されていることを特徴とする。
【００１０】
請求項２に記載の発明によれば、金属製のシールド兼モジュールハウジングの端部に放熱板が一体に形成されているので、発熱する電子部品が収容されるシールド兼モジュールハウジングの熱を外気に対し効率良く放熱できる。
【００１２】
請求項１に記載の発明によれば、筐体の端部に形成され、ヒンジ部及びヒンジカバーが位置する凹部に放熱板が配置されるので、筐体の端部に形成される凹部において、ヒンジカバーとの隙間を利用して、放熱板を外気にさらして効果的に放熱できる。
【発明の効果】
【００１３】
本発明によれば、折畳み式電子機器におけるヒンジ部周りの隙間を利用しながら、放熱板を外気にさらして十分な外気への放熱が行えるため、外気への放熱性能を向上できる。
【発明を実施するための最良の形態】
【００１４】
以下、図を参照して本発明を実施するための最良の形態を詳細に説明する。
本発明を適用した折畳み式電子機器の一実施形態として携帯電話機を示した図１から図５において、１は第１の筐体、２は第２の筐体、３はヒンジ部、４は表示部、５は受話部、６は操作部、７は送話部、８は内蔵アンテナ部、９はテレビ用アンテナ、１０はカメラ部である。
【００１５】
図示のように、第１の筐体１と第２の筐体２はヒンジ部３を介して互いに折畳み自在に連結されている。第１の筐体１には、縦長大画面の表示部４と小孔による受話部５が設けられている。第２の筐体２には、各種キーによる操作部６、小孔による送話部７、内蔵アンテナ部８と、側面部のテレビ用アンテナ９と、裏面側のカメラ部１０等が設けられている。
【００１６】
ヒンジ部３は、第１のヒンジカバー１１と第２のヒンジカバー１２で覆われている。第１のヒンジカバー１１は、図６及び図７に示すように、第２の筐体２に対し第１の筐体１を折畳み自在に支持する第１のヒンジ軸１４を覆っている。第２のヒンジカバー１２は、第１のヒンジ軸１４の中央部に対しホルダ（不図示）を介して回転自在に組み付けられた第２のヒンジ軸（不図示）を覆っている。
【００１７】
第２のヒンジ軸は、第１のヒンジ軸３４と直交方向に軸線を交差して設けられるもので、この第２のヒンジ軸に第１の筐体１が固定されている。
以上のヒンジ部３により、実施形態の折畳み式携帯電話機は、図１から図３に示すように、第１のヒンジ軸１４回りに第１及び第２の両筐体１・２を開いた使用状態と、図４に示すように、第１のヒンジ軸１４回りに第１及び第２の両筐体１・２を閉じた折畳み状態の他、図５に示すように、第２のヒンジ軸回りに第１の筐体１を１８０度回転させて表示部４を表側にした折畳み状態のテレビ視聴スタイルとしても使用できる。
【００１８】
図６は図３の状態から第２の筐体２を分解して示したもので、第２の筐体２は、図示のように、上ケース１５及び下ケース１６を合体して構成される。上ケース１５にはシートキー１７等が組み付けられ、下ケース１６には電池パックカバー１８（図３参照）等が組み付けられる。なお、図６では電池パックカバー１８を取り外した状態を示す。
【００１９】
そして、上ケース１５及び下ケース１６の内部には、メイン基板ユニット１９と中ケースであるシールド兼モジュールハウジング２０等が収容されている。メイン基板ユニット１９は両面に各種電子部品を実装したもので、このメイン基板ユニット１９の基板がシールド兼モジュールハウジング２０にネジ止めされる。シールド兼モジュールハウジング２０は熱伝導性に優れるマグネシュウム合金製で、このシールド兼モジュールハウジング２０は上ケース１５及び下ケース１６間に挟まれてネジ止めされる。
【００２０】
図７は図６のメイン基板ユニット１９とシールド兼モジュールハウジング２０を分解して第１の筐体１との関係を示したもので、図示のように、第１ヒンジ軸１４の両端部を軸受支持するブラケット２１が、シールド兼モジュールハウジング２０の端部にネジ止めされる。なお、図中の８ａは、８００ＭＨ帯の無線信号を送受信するためのアンテナエレメントである。
また、上ケース１５及び下ケース１６の端部には、ヒンジ部３の第１のヒンジカバー１１が位置する凹部２２・２３が形成されるとともに、これら凹部２２・２３の合せ部で第１のヒンジカバー１１に対し隙間を隔てて対向する部分に開口部２４が形成されている。
【００２１】
そして、シールド兼モジュールハウジング２０の端部には、上ケース１５及び下ケース１６の開口部２４からケース（第２の筐体１）外部に突出して凹部２２・２３に位置する放熱板２５が一体に形成されている。
この放熱板２５は、図示のように、その板面がシールド兼モジュールハウジング２０の板面と直交して第１のヒンジカバー１１と僅かな隙間を隔てて対向する横長形状のものである。
【００２２】
図８は図７のシールド兼モジュールハウジング２０からヒートシート２６〜２９を分解して示したもので、シールド兼モジュールハウジング２０上の四箇所に、図示のように、熱伝導性に優れる四枚のヒートシート２６・２７・２８・２９が貼り付けられている。
【００２３】
図９は図８のシールド兼モジュールハウジング２０からその裏側に設けられるキーユニット３０及び絶縁シート３１を分解して示したもので、図示のように、シールド兼モジュールハウジング２０の裏側とキーユニット３０との間には絶縁シート３１が介装されている。
【００２４】
ここで、絶縁シート３１としては断熱性を有するシートを使用するのが望ましい。その場合、シールド兼モジュールハウジング２０での放熱効率を高い状態に維持するために、絶縁シート３１の裏面側（シールド兼モジュールハウジング２０側）に複数の突条を設けるのが望ましい。
すなわち、絶縁シート３１の裏面側に複数の突条を設けることで、突条の間の空間部が、シールド兼モジュールハウジング２０の裏面に沿って空気が流れる道となるため、シールド兼モジュールハウジング２０の放熱効率を高い状態に維持できる。なお、突条はシールド兼モジュールハウジング２０の短手方向に延びるものが望ましい。
【００２５】
図１０は図７のメイン基板ユニット１９を裏側にしてシールド兼モジュールハウジング２０との関係を示したもので、メイン基板ユニット１９の基板の裏面側（シールド兼モジュールハウジング２０側）には、ヒンジ部３側（放熱板２５側）に近い部分に発熱源となるテレビ信号受信回路部３２が搭載されている。
【００２６】
また、メイン基板ユニット１９の基板の裏面側（シールド兼モジュールハウジング２０側）において、その他の部分の四箇所には、図示のように、電子部品３６・３７・３８・３９等が搭載されている。これら四個の電子部品３６・３７・３８・３９には、図８に示したシールド兼モジュールハウジング２０上の四枚のヒートシート２６・２７・２８・２９がそれぞれ対応して重なる。
従って、電子部品３６・３７・３８・３９で生じる熱は熱伝導性に優れるヒートシート２６・２７・２８・２９を介してシールド兼モジュールハウジング２０に効率良く伝達される。因みに、電子部品３９は、無線回路部に設けられるパワーアンプであり、図中のアンテナエレメント８ｂや図７に示したアンテナエレメント８ａを介して無線信号を送信する際に大きな発熱を伴うので、ヒートシート２９が対応して設けられている。
【００２７】
以上、実施形態の折畳み式携帯電話機によれば、操作部６を備える第２の筐体２（上ケース１５及び下ケース１６）の開口部２４から外部に放熱板２５を突出させることで、表示部４を備える第１の筐体１に設けられる第１のヒンジカバー１１との隙間に放熱板２５を配置したため、ヒンジ部３の周りの隙間を利用して、放熱板２５を外気にさらすことができ、従って、十分に外気に放熱できる。
しかも、第２の筐体２（上ケース１５及び下ケース１６）の端部に形成される凹部２２・２３において、放熱板２５の板面が第１のヒンジカバー１１と対向しているため、第１のヒンジカバー１１との隙間を有効に利用して、放熱板２５をその板面の全面でさらして効果的に外気に放熱できるものとなっている。
【００２８】
そして、熱伝導性に優れるマグネシュウム合金製のシールド兼モジュールハウジング２０の端部に放熱板２５を一体に形成したため、発熱する電子部品が収容されるシールド兼モジュールハウジング２０の熱を外気に対し効率良く放熱できる。
すなわち、放熱板２５が発熱源となるテレビ信号受信回路部３２に近いため、そのテレビ信号受信回路部３２の発熱を放熱板２５から効果的に外気に放熱できるものとなっている。
さらに、他の部分の電子部品３６・３７・３８・３９に、シールド兼モジュールハウジング２０上のヒートシート２６・２７・２８・２９がそれぞれ対応して重なっているため、これら電子部品３６・３７・３８・３９の発熱を熱伝導性に優れるヒートシート２６・２７・２８・２９を介してシールド兼モジュールハウジング２０に効率良く伝達し、放熱板２５から効果的に外気に放熱できるものとなっている。
【００２９】
なお、本実施形態の折畳み式携帯電話機においては、放熱は放熱板２５からだけではなく、第２の筐体２に形成した放熱孔からも行われるようになっている。放熱孔は、テレビ用アンテナ９を折り畳んだときにアンテナ９により覆われる第２の筐体２の側面など、あまり目立たない位置に複数形成されているが、最も大きな放熱孔１３は、図２に示すように、通常マイクが設けられる操作部６の下端に設けられている。この位置は、図１０を参照すると明らかなように、無線回路部のパワーアンプが搭載される位置に近い。しかも、第１の筐体１と第２の筐体２とを折り畳んだ際に両筐体間に若干の隙間を持たせるためには、第２の筐体２の操作部が設けられる面に、ヒンジ部側突起（スペーサ）４１，４２と開放端側突起４３を設ける必要があるので、開放端側突起４３を放熱孔１３に近接して設けることができる。従って、図２に示すように、放熱孔１３を通常マイクが設けられる位置に設け、且つ開放端側突起４３を放熱孔１３に近接して設けることにより、放熱孔１３があまり目立たないので、開口部を横長にして大きくすることができる。
【００３０】
なお、以上の実施形態においては、折畳み式電子機器として携帯電話機としたが、本発明はこれに限定されるものではなく、ノート型ＰＣ、パームトップＰＣ、ＰＤＡ、その他の携帯型等の電子機器であっても良い。
また、折畳み式電子機器としては、少なくとも第１の筐体が表示部を有して第２の筐体が操作部を有するものや、第１の筐体が受話部を有して第２の筐体が送話部を有するものであれば良い。
【００３１】
さらに、実施形態では、開いた状態で操作部側筐体の端部に対しヒンジ部が裏側に位置する携帯電話機としたが、開いた状態で操作部側筐体の端部に対しヒンジ部が表側に位置する携帯電話機にも本発明は適用可能である。
そして、実施形態では、操作部側筐体のみに放熱板を設けたが、表示部側筐体のみに放熱板を設け、あるいは両方の筐体に放熱板を設けて同様の放熱構造を採用しても良い。
また、ヒンジ部構造等も任意であり、その他、具体的な細部構造等についても適宜に変更可能であることは勿論である。
【図面の簡単な説明】
【００３２】
【図１】本発明を適用した折畳み式電子機器の一実施形態の構成を示すもので、折畳み式携帯電話機を開いた状態の斜視図である。
【図２】同じく、正面図である。
【図３】同じく、背面図である。
【図４】図１の折畳み式携帯電話機を閉じた状態の斜視図である。
【図５】図４の状態から表示部を表側にした状態の斜視図である。
【図６】図３の状態から操作部側の筐体を分解して示した斜視図である。
【図７】図６のメイン基板ユニットとシールド兼モジュールハウジングを分解して表示部側の筐体との関係を示した斜視図である。
【図８】図７のシールド兼モジュールハウジングからヒートシートを分解して示した斜視図である。
【図９】図８のシールド兼モジュールハウジングからその裏側に設けられる絶縁シート及びキーユニットを分解して示した斜視図である。
【図１０】図７のメイン基板ユニットを裏側にしてシールド兼モジュールハウジングとの関係を示した斜視図である。
【符号の説明】
【００３３】
１  第１の筐体
２  第２の筐体
３  ヒンジ部
４  表示部
５  受話部
６  操作部
７  送話部
８  内蔵アンテナ部
９  テレビ用アンテナ
１０  カメラ部
１１  第１のヒンジカバー
１２  第２のヒンジカバー
１３  放熱孔
１４  第１のヒンジ軸
１５  上ケース
１６  下ケース
１７  シートキー
１８  電池パックカバー
１９  メイン基板ユニット
２０  シールド兼モジュールハウジング
２１  ブラケット
２２・２３  凹部
２４  開口部
２５  放熱板
２６・２７・２８・２９  ヒートシート
３０  キーユニット
３１  絶縁シート
３２  テレビ信号受信回路部
３６・３７・３８・３９  電子部品
【図１】
0005128772.tif 000002
【図２】
0005128772.tif 000003
【図３】
0005128772.tif 000004
【図４】
0005128772.tif 000005
【図５】
0005128772.tif 000006
【図６】
0005128772.tif 000007
【図７】
0005128772.tif 000008
【図８】
0005128772.tif 000009
【図９】
0005128772.tif 000010
【図１０】
0005128772.tif 000011